(57)【特許請求の範囲】
【請求項１】
燃料電池本体に水素を供給するための水素貯蔵ユニットにおいて、
２本の長辺と２本の短辺とからなる長方形状の第一面を有する水素容器本体と、
前記第一面に設けられたハンドルであって、そのハンドルの長手方向が前記長辺及び前記短辺に対して傾斜するように配置された複数のハンドルと、
を備えたことを特徴とする水素貯蔵ユニット。
【請求項２】
前記複数のハンドルの一端が前記第一面の異なる角部に配置され、前記複数のハンドルの各他端が前記角部と反対側の前記長辺に配置されていることを特徴とする請求項１に記載の水素貯蔵ユニット。
【請求項３】
前記複数のハンドルは、前記長手方向の延長線上で交差するように配置されていることを特徴とする請求項１または２に記載の水素貯蔵ユニット。
【請求項４】
前記複数のハンドルのそれぞれの一端が配置された複数の角部は、前記２本の長辺の内の一方の長辺を共有していることを特徴とする請求項１または２に記載の水素貯蔵ユニット。
【請求項５】
前記複数のハンドルの数は２個であって、
前記２個のハンドルは、前記２本の長辺の各々の中央同士を結ぶ線に対して対称に配置されていることを特徴とする請求項１から４のいずれか１項に記載の水素貯蔵ユニット。
【請求項６】
前記複数のハンドルのそれぞれの一端が配置された複数の角部は、対角関係にあることを特徴とする請求項１または２に記載の水素貯蔵ユニット。
【請求項７】
前記第一面の長辺方向における中央に形成された凹部と、
前記凹部内に設けられ、前記水素の供給及び停止を切換える操作レバーと、
を更に備え、
前記ハンドルは、前記凹部の両側に配置されていることを特徴とする請求項１から６のいずれか１項に記載の水素貯蔵ユニット。
【請求項８】
前記第一面と直交する第二面に設けられ、前記水素を前記燃料電池本体に供給するための接続口を更に備えることを特徴とする請求項１から７のいずれか１項に記載の水素貯蔵ユニット。
【請求項９】
前記水素容器本体内に配置された複数の水素ボンベを更に備え、
前記複数の水素ボンベは、前記第一面の長辺方向に沿って並べられていることを特徴とする請求項１から８のいずれか１項に記載の水素貯蔵ユニット。
【請求項１０】
前記複数の水素ボンベの供給口は、前記ハンドル側に設けられていることを特徴とする請求項９記載の水素貯蔵ユニット。
【請求項１１】
燃料電池本体に水素を供給するための水素貯蔵タンクにおいて、
複数の水素貯蔵ユニットと、
前記複数の水素貯蔵ユニットを重ねて収納する水素貯蔵タンク本体と、
を備え、
複数の水素貯蔵ユニットの各々は、
２本の長辺と２本の短辺とからなる長方形状の第一面を有する水素容器本体と、
前記第一面に設けられたハンドルであって、そのハンドルの長手方向が前記長辺及び前記短辺に対して傾斜するように配置された複数のハンドルと、
を備え、
前記複数のハンドルは、前記長手方向の延長線上で交差するように配置されており、
前記複数の水素貯蔵ユニットにおける前記複数のハンドルの配置関係はすべて同一である
ことを特徴とする水素貯蔵タンク。
【発明の詳細な説明】
【技術分野】
【０００１】
本発明は、燃料電池システムに水素を供給する水素貯蔵タンク及び水素貯蔵ユニットに関する。
【背景技術】
【０００２】
一般に、水素及び酸素を燃料とする燃料電池は、水素ボンベ内に充填した水素を燃料電池に供給することにより発電し、電源として使用される。このため、燃料電池をより長時間動作させるためには、水素の充填量を増やす必要がある。例えば、水素ボンベの容量または数を増やすことにより、水素の充填量を増やすことができる。
【０００３】
また、発電によって水素ボンベ内の水素残量が少なくなった場合には、作業者が水素ボンベを交換することにより、燃料電池に発電を継続させることができる。
【０００４】
例えば特許文献１には、水素ボンベである５本の水素吸蔵合金タンクと、水素ボンベを固定する保持枠と、保持枠の上端に取り付けられたハンドル（取っ手）とを備えたユニットと、該ユニットを複数収納する水素供給器が提案されている。特許文献１のような水素供給器においては、水素供給器からユニットを着脱する際の着脱操作や、ユニットを持ち運び易いという効果がある。
【０００５】
ところで、水素ボンベの容量または数を増やすことにより、ユニットの重量も重たくなる。ユニットの重量によっては、１人の作業者が持ち運ぶことは困難になり、複数の作業者が持ち運ぶ場合がある。複数の作業者がユニットを持ち運ぶ場合には、ユニットは複数のハンドルを備えることが好ましい。
【０００６】
特許文献１のようにユニットが水素供給器に収納される場合、ユニットにおいてハンドルを取り付けることができる面は、収納方向上流側の特定の一面に限られる。また、特定の一面が長方形状の場合、ハンドルは、一面の長辺、若しくは短辺に沿って配置されるのが一般的である。
【先行技術文献】
【特許文献】
【０００７】
【特許文献１】特開平９−２５９９１５号公報
【発明の概要】
【発明が解決しようとする課題】
【０００８】
しかしながらユニットの形状または寸法によっては、ユニットの特定の一面に、十分な長さのハンドルを配置することが難しい場合がある。ハンドルの長さが十分でない場合には、作業者にとってユニットの持ち運びが困難になるという問題がある。
【０００９】
本発明は、上述した問題点を解決するためになされたものであり、ユニットの特定の一面に、長辺若しくは短辺に沿って配置するよりも長いハンドルを複数配置可能な水素貯蔵ユニットを提供することを目的とする。
【課題を解決するための手段】
【００１０】
この目的を達成するために、本発明の水素貯蔵ユニットは、燃料電池本体に水素を供給するための水素貯蔵ユニットにおいて、２本の長辺と２本の短辺とからなる長方形状の第一面を有する水素容器本体と、前記第一面に設けられたハンドルであって、そのハンドルの長手方向が前記長辺及び前記短辺に対して傾斜するように配置された複数のハンドルと備えることを特徴とするものである。
【００１１】
また、本発明の水素貯蔵タンクは、燃料電池本体に水素を供給するための水素貯蔵タンクにおいて、複数の水素貯蔵ユニットと、前記複数の水素貯蔵ユニットを重ねて収納する水素貯蔵タンク本体と、を備え、複数の水素貯蔵ユニットの各々は、２本の長辺と２本の短辺とからなる長方形状の第一面を有する水素容器本体と、前記第一面に設けられたハンドルであって、そのハンドルの長手方向が前記長辺及び前記短辺に対して傾斜するように配置された複数のハンドルと、を備え、前記複数のハンドルは、前記長手方向の延長線上で交差するように配置されており、前記複数の水素貯蔵ユニットにおける前記複数のハンドルの配置関係はすべて同一であることを特徴とするものである。
【発明の効果】
【００１２】
本発明の水素貯蔵ユニットによれば、複数のハンドルが第一面の長辺及び短辺に対して傾斜するように配置される。このため、長辺若しくは短辺に沿って配置するよりも、長手方向に長いハンドルを複数配置することができる。
【００１３】
また、本発明の水素貯蔵タンクによれば、複数のハンドルが第一面の長辺及び短辺に対して傾斜するように配置される。このため、長辺若しくは短辺に沿って配置するよりも、長手方向に長いハンドルを複数配置することができる。また、複数の水素貯蔵ユニットを水素貯蔵タンクに収納した状態で、作業者にとって、水素貯蔵ユニットの上下の向きを判別し易い。このため、作業者が水素貯蔵ユニットを水素貯蔵タンクへ着脱する際に、収納されている他の水素貯蔵ユニットのハンドルの配置関係と同じ配置関係になるように収納することで、上下方向の向きを間違えて収納することが無い。
【図面の簡単な説明】
【００１４】
【図１】本発明の第１実施形態の燃料電池システムを示すブロック図である。
【図２】本発明の第１実施形態の水素貯蔵タンクの構成を示す図である。
【図３】本発明の第１実施形態の水素貯蔵ユニットを示す図である。
【図４】本発明の第１実施形態の水素貯蔵ユニットの内部構成を示す図である。
【図５】本発明の第２実施形態の水素貯蔵ユニットを示す図である。
【発明を実施するための形態】
【００１５】
［第１実施形態］
以下、本発明の第１実施形態について、図面を参照して説明する。
【００１６】
燃料電池システム１は、水素貯蔵タンク２と燃料電池本体３とを備える。水素貯蔵タンク２は燃料電池本体３に隣接して配置される。水素貯蔵タンク２は、水素配管と電気配線とによって燃料電池本体３に接続される。
【００１７】
＜水素貯蔵タンク＞
次に、水素貯蔵タンク２の構成について、図１を参照して説明する。水素貯蔵タンク２は、水素貯蔵タンク本体４と、６個の水素貯蔵ユニット５と、第１マニホールド６と、６個の開閉弁７とを備える。水素貯蔵タンク２は、水素配管を通して水素を燃料電池本体３に供給する。
【００１８】
水素貯蔵タンク本体４は、金属製の箱型の筐体である。水素貯蔵タンク本体４は、６個の水素貯蔵ユニット５を収納できるように構成されている。
【００１９】
６個の水素貯蔵ユニット５の各々は、開閉弁７を介して第１マニホールド６に接続される。水素貯蔵ユニット５の数は、燃料電池システム１における必要な発電時間に応じて増減させても良い。水素貯蔵ユニット５の数を増やすことにより、燃料電池システム１の発電可能時間を長くすることができる。
【００２０】
第１マニホールド６は、水素貯蔵タンク本体４の側面に配置される。第１マニホールド６は、開閉弁７を介して６個の水素貯蔵ユニット５に接続される。第１マニホールド６は、６個の水素貯蔵ユニット５から送給される水素を集合し、燃料電池本体３に送給する。
【００２１】
開閉弁７は、電気信号に基づいて開閉を切り替え可能な電磁弁である。開閉弁７は、水素配管を介して水素貯蔵ユニットに各々接続される。
【００２２】
＜燃料電池本体＞
燃料電池本体３は、例えば固体高分子形の燃料電池スタックを備える。燃料電池スタックは、水素貯蔵タンク２から供給された水素と、空気中の酸素とを利用して発電を行い、所望の設備に電力を供給する。燃料電池本体３の構成は、特許文献１等により公知であるので、図中での説明は省略している。
【００２３】
＜水素貯蔵ユニットの配置＞
次に、水素貯蔵ユニットの収納状態について、図２を参照して説明する。
【００２４】
水素貯蔵タンク本体４は、６個の水素貯蔵ユニット５を各々収納できるように、６個の収納室を備える。６個の収容室は、水素貯蔵タンク本体４内の上下方向に並んで構成される。６個の水素貯蔵ユニット５は、水素貯蔵タンク本体４の収納室に前方向から各々収納される。６個の水素貯蔵ユニット５は、前方向に引き出すことにより、水素貯蔵タンク本体４から取り外すことができる。水素貯蔵タンク本体４は、前面に図示しない開閉式の扉を備える。
【００２５】
６個の水素貯蔵ユニット５の各々は、２つのハンドル８ａ、８ｂと、カプラ９とを備える。６個の水素貯蔵ユニット５は、ハンドル８ａ、８ｂを前方に向けて、水素貯蔵タンク本体４に収納される。６個の水素貯蔵ユニット５が水素貯蔵タンク本体４に収納された状態において、ハンドル８ａ、８ｂの位置関係は、すべて同一である。
【００２６】
６個の水素貯蔵ユニット５が水素貯蔵タンク本体４に収納された状態において、カプラ９はすべて左向き位置する。カプラ９は、開閉弁７に接続される。
【００２７】
第１マニホールド６は、水素貯蔵ユニット５の左側に配置される。第１マニホールド６は上下方向に延びるように配置される。
【００２８】
＜水素貯蔵ユニット＞
次に、水素貯蔵ユニット５の外観形状の詳細について図３を参照して説明する。
【００２９】
水素貯蔵ユニット５は、２つのハンドル８ａ、８ｂと、カプラ９と、水素容器本体１０と、操作レバー１１とを備える。水素貯蔵ユニット５は、２人の作業者によって着脱作業及び持ち運ぶことを想定されている為に、２つのハンドル８ａ、８ｂを備える。
【００３０】
水素容器本体１０は、金属板から成る直方体形状の箱である。水素容器本体１０は、第一面１２を有する。第一面１２は、２本の長辺１３ａ、１３ｂと、２本の短辺１４ａ、１４ｂとから成る長方形状の平面である。第一面１２は、水素貯蔵ユニット５が水素貯蔵タンク本体４に収納された状態において、開閉式の扉と対向する面である。
【００３１】
ハンドル８ａ、８ｂは、第一面１２に配置される。ハンドル８ａの一端１５ａは、第一面１２の、長辺１３ａと短辺１４ａとから成る角部１６ａに配置される。ハンドル８ａの他端１７ａは、一端１５ａが配置された長辺１３ａ側とは反対側の長辺１３ｂ側に配置される。ハンドル８ｂの一端１５ｂは、第一面１２の、長辺１３ａと短辺１４ｂとから成る角部１６ｂに配置される。ハンドル８ｂの他端１７ｂは、一端１５ｂが配置された長辺１３ａ側とは反対側の長辺１３ｂ側に配置される。
【００３２】
ハンドル８ａ、８ｂは、各々の長手方向１８ａ、１８ｂの延長線上にて交差するように、長辺１３ａ、１３ｂ及び短辺１４ａ、１４ｂに対して傾斜して配置される。ハンドル８ａ、８ｂは、第一面１２の中心線１９に対して対称の位置に配置される。第一面１２の中心線１９は、２本の長辺１３ａ、１３ｂの各々の中心同士を結ぶ線である。
【００３３】
ハンドル８ａ、８ｂは、例えば、持ち手部分を折り畳むことができる構成である。
【００３４】
第一面１２は、中央部に第１の凹部２０を備える。第１の凹部２０は、第一面１２から内側に凹んだ底面を含んでいる。
【００３５】
操作レバー１１は、第１の凹部２０の底面に回動可能に配置される。操作レバー１１は、水素貯蔵ユニット５内部の水素配管に連結しており、水素貯蔵ユニット５からの水素の供給及び停止を切り替える。操作レバー１１は、手動式である。第１の凹部２０は、操作レバー１１の先端が第一面１２より外側に突出しないように構成される。
【００３６】
ハンドル８ａ、８ｂは、第１の凹部２０と重ならないように、第１の凹部２０を回避して配置される。ハンドル８ａ、８ｂは、第１の凹部の両側に配置される。ハンドル８ａの他端１７ａとハンドル８ｂの他端１７ｂとは、第１の凹部２０に近接して配置される。
【００３７】
水素容器本体１０は、第二面２１を備える。第二面２１は、第一面１２と直交し、短辺１４ａを一辺とする長方形状の平面である。第二面２１は、水素貯蔵ユニット５を水素貯蔵タンク本体４に収納した際に、他の水素貯蔵ユニット５と重ならない面である。
【００３８】
第二面２１は、第２の凹部２２を備える。第２の凹部２２は、第二面２１から内側に凹んだ底面を含んでいる。第２の凹部２２は、第二面２１において、短辺１４ａ側、即ち第一面１２に近い位置に配置される。
【００３９】
カプラ９は、第２の凹部２２の底面に配置される。第２の凹部２２は、カプラ９の先端が第二面２１より外側に突出しないように構成される。
【００４０】
＜水素貯蔵ユニットの構成＞
次に、水素貯蔵ユニット５の内部構成について図４を参照して説明する。
【００４１】
水素貯蔵ユニット５は、内部に４個の水素ボンベ２３と、第２マニホールド２４とを備える。
【００４２】
水素ボンベ２３は、内部に水素吸蔵合金を備え、水素を貯蔵する。水素ボンベ２３は、円筒形状のボンベであり、一端に水素を供給する供給口２５を備える。４個の水素ボンベ２３は、供給口２５を第一面１２側に向けた方向で、平行に横一列に配置される。従って、水素貯蔵ユニット５をハンドル８ａ、８ｂを上向きにして持ち運ぶ際、水素ボンベ２３の供給口２５は上向きとなる。
【００４３】
水素ボンベ２３の数は、燃料電池システム１における必要な発電時間に応じて増減しても良い。水素ボンベ２３の数を増やすことにより、燃料電池システム１の発電可能時間を長くすることができる。
【００４４】
第２マニホールド２４は、供給口２５と水素容器本体１０との間に配置される。第２マニホールド２４は、供給口２５に近い位置に配置されることが好ましい。供給口２５の各々は、第２マニホールド２４を介して操作レバー１１に接続される。第２マニホールド２４は、４個の水素ボンベ２３から送給される水素を集合するものである。
【００４５】
操作レバー１１は、カプラ９に接続される。操作レバー１１は、水素貯蔵ユニット５の外部から開閉されるように構成されている。操作レバー１１が開放状態になると、水素ボンベ２３に内蔵された水素が、カプラ９を通して燃料電池本体２に供給される。
【００４６】
＜電気接続＞
開閉弁７は、電気配線を介して燃料電池本体２と接続される。開閉弁７は、燃料電池本体内に内蔵された制御部からの信号に基づいて各々開閉される。
【００４７】
＜燃料電池システムの動作＞
以上説明したように構成された本実施形態の燃料電池システム１の動作について説明する。
【００４８】
本実施形態である燃料電池システム１は、例えば自然災害または設備点検などによる停電時において、非常用電源として使用される。
停電により商用電源が遮断されると、二次電池の電力によって弁動作がなされ、水素貯蔵タンク２から燃料電池本体３に水素が供給される。燃料電池本体３内で水素及び酸素による電気化学反応が生じ、発電が行われ、所望の設備に電力が供給される。
【００４９】
停電が復旧し商用電源が再び供給されたり、水素ボンベ２３内の水素残量が足りなくなった場合には、燃料電池システム１は発電を停止する。
【００５０】
以上のように構成された燃料電池システム１によれば、水素貯蔵ユニット５に長手方向に長いハンドル８ａ、８ｂを配置することができ、作業者にとって、ハンドル８ａ、８ｂを掴み易くなり、水素貯蔵ユニット５を持ち運び易くなる。
【００５１】
また、６個の水素貯蔵ユニット５を水素貯蔵タンク４に収納した状態で、作業者にとって、水素貯蔵ユニット５の上下の向きを判別し易い。このため、作業者が水素貯蔵ユニット５を水素貯蔵タンク３に取り付ける際に、収納されている他の水素貯蔵ユニット５のハンドル８ａ、８ｂの配置関係と同じ配置関係になるように収納することで、上下方向の向きを間違えて収納することが無い。
【００５２】
また、水素ボンベ２３を、供給口２５が第一面１２側を向くように配置することで、供給口２５と第２マニホールド２４との距離が短くなり、水素貯蔵ユニット５内の内部配管を短くすることができる。
【００５３】
また、第２の凹部２２を第一面１２に近い位置に配置することで、第２の凹部２２に配置したカプラ９と操作レバー１１との距離が近くなり、水素貯蔵ユニット５の内部配管が短くて済む。
【００５４】
また、操作レバー１１は第一面１２より突出しないので、作業者が水素貯蔵ユニット５を持ち運ぶ際に、誤って操作レバー１１を破損させてしまう可能性が低くなる。
【００５５】
また、カプラ９は第二面２１より突出しないので、作業者が水素貯蔵ユニット５を持ち運ぶ際に、誤ってカプラ９を破損させてしまう可能性が低くなる。
【００５６】
また、水素貯蔵ユニット５を水素貯蔵タンク本体に収納した際に、ハンドル８ａ、８ｂを折り畳むことで第一面１２から突出する長さを小さくすることができ、水素貯蔵タンク３の寸法を小さくすることができる。
【００５７】
［第２実施形態］
次に、本発明の第２実施形態について図５を参照して説明する。本実施形態では、ハンドル８ｃの配置が、第１実施形態とは異なる。尚、ハンドル８ｃの配置を除く構成と、燃料電池システム１の動作とについては、上述の第１実施形態と同様なので、詳細な説明は省略する。
【００５８】
ハンドル８ａ、８ｃは、第一面１２に配置される。ハンドル８ａの一端１５ａは、第一面１２の、長辺１３ａと短辺１４ａとから成る角部１６ａに配置される。ハンドル８ａの他端１７ａは、一端１５ａが配置された長辺１３ａ側とは反対側の長辺１３ｂ側に配置される。ハンドル８ｃの一端１５ｃは、第一面１２の、長辺１３ｂと短辺１４ｂとから成る角部１６ｃに配置される。ハンドル８ｃの他端１７ｃは、一端１５ｃが配置された長辺１３ｂ側とは反対側の長辺１３ａ側に配置される。角部１６ａと角部１６ｃとは、第一面１２において対角関係である。
【００５９】
第２実施形態においても、水素貯蔵ユニット５に長手方向に長いハンドル８ａ、８ｃを配置することができ、作業者にとって、ハンドル８ａ、８ｃを掴み易くなり、水素貯蔵ユニット５を持ち運び易くなる。
【００６０】
以上のように、本実施の形態に係る水素貯蔵ユニットは、燃料電池本体に水素を供給するための水素貯蔵ユニットにおいて、２本の長辺と２本の短辺とからなる長方形状の第一面を有する水素容器本体と、前記第一面に設けられたハンドルであって、そのハンドルの長手方向が前記長辺及び前記短辺に対して傾斜するように配置された複数のハンドルと備えることを特徴とする。
【００６１】
本実施の形態においては、複数のハンドルが第一面の長辺及び短辺に対して傾斜するように配置される。このため、長辺若しくは短辺に沿って配置するよりも、長手方向に長いハンドルを複数配置することができる。
【００６２】
本実施の形態に係る水素貯蔵ユニットは、前記複数のハンドルの一端が前記第一面の異なる角部に配置され、前記複数のハンドルの各他端が前記角部と反対側の前記長辺部に配置されていることを特徴とする。
【００６３】
本実施の形態においては、ハンドルの一端が角部に配置され、他端が角部と反対側の長辺部に配置される。このため、長辺若しくは短辺に沿って配置するよりも、長手方向に長いハンドルを複数配置することができる。
【００６４】
本実施の形態に係る水素貯蔵ユニットは、前記複数のハンドルの数は２個であって、前記２個のハンドルは、前記２本の長辺の各々の中央同士を結ぶ線に対して対称に配置されていることを特徴とする。
【００６５】
本実施の形態においては、複数のハンドルが長辺の中央同士を結ぶ線に対して対称に配置される。このため、作業者が２つのハンドルを持ってユニットを持ち運ぶ際に、バランスが良く、持ち運び易い。
【００６６】
本実施の形態に係る水素貯蔵ユニットは、前記第一面の長辺方向における中央に形成された凹部と、前記凹部内に設けられ、前記水素の供給及び停止を切換える操作レバーと、を更に備え、前記ハンドルは、前記凹部の両側に配置されていることを特徴とする。
【００６７】
本実施の形態においては、ハンドルは操作レバーを避けて配置される。このため、作業者が操作レバーを操作する際に、ハンドルと干渉しにくく、操作し易い。
【００６８】
本実施の形態に係る水素貯蔵ユニットは、前記第一面と直交する第二面に設けられ、前記水素を前記燃料電池本体に供給するための接続口を更に備えることを特徴とする。
【００６９】
本実施の形態においては、ハンドルと供給口とがそれぞれ直交する面に配置されるため、ハンドルと供給口とが干渉しない。このため、長手方向に長いハンドルを複数配置することができ、作業者が水素貯蔵ユニットを持ち運ぶ際に、持ち運び易い。また、作業者がハンドルを持ち運ぶ際に、供給口が邪魔にならず、持ち運び易い。
【００７０】
本実施の形態に係る水素貯蔵ユニットは、前記水素貯蔵ユニット本体内に配置された複数の水素ボンベを更に備え、前記複数の水素ボンベは、前記第一面の長辺方向に沿って並べられていることを特徴とする。
【００７１】
本実施の形態においては、複数の水素ボンベが第一面の長辺方向に沿って並べられているため、複数の水素ボンベを接続する内部配管を容易に配置することができる。このため、水素貯蔵ユニットの内部構成を簡素化できる。
【００７２】
本実施の形態に係る水素貯蔵ユニットは、前記複数の水素ボンベの供給口は、前記ハンドル側に設けられていることを特徴とする。
【００７３】
本実施の形態においては、水素ボンベの供給口がハンドル側に設けられており、作業者がハンドルを持って水素貯蔵ユニットを持ち運ぶ際に、水素ボンベは供給口を上側に向けて配置される。このため、持ち運び時の供給口の破損を防ぐことができる。
【００７４】
本実施の形態に係る水素貯蔵タンクは、燃料電池本体に水素を供給するための水素貯蔵タンクにおいて、複数の水素貯蔵ユニットと、前記複数の水素貯蔵ユニットを重ねて収納する水素貯蔵タンク本体と、を備え、複数の水素貯蔵ユニットの各々は、２本の長辺と２本の短辺とからなる長方形状の第一面を有する水素容器本体と、前記第一面に設けられたハンドルであって、そのハンドルの長手方向が前記長辺及び前記短辺に対して傾斜するように配置された複数のハンドルと、を備え、前記複数のハンドルは、前記長手方向の延長線上で交差するように配置されており、前記複数の水素貯蔵ユニットにおける前記複数のハンドルの配置関係はすべて同一であることを特徴とする。
【００７５】
本実施の形態においては、複数のハンドルが第一面の長辺及び短辺に対して傾斜するように配置される。このため、長辺若しくは短辺に沿って配置するよりも、長手方向に長いハンドルを設けることができる。また、複数の水素貯蔵ユニットを水素貯蔵タンクに収納した状態で、作業者にとって、水素貯蔵ユニットの上下の向きを判別し易い。このため、作業者が水素貯蔵ユニットを水素貯蔵タンクへ着脱する際に、収納されている他の水素貯蔵ユニットのハンドルの配置関係と同じ配置関係になるように収納することで、上下方向の向きを間違えて収納することが無い。
【００７６】
［変形例］
以上のように本実施形態について説明したが、本発明は上記実施形態に限定されるものではなく、種々の変更が可能である。以下に、上記実施形態に加えうる変更の例について説明する。
【００７７】
例えば、角部１６ａ、１６ｂ、１６ｃに別部材が配置されている場合は、ハンドル８ａ、８ｂ、８ｃの一端は角部に配置されていなくてもよい。また、例えば、ハンドルは２つではなく３つ以上であってもよい。
【００７８】
また、例えば、６個の収容室は、水素貯蔵タンク本体４内において、上下方向ではなく左右方向または前後方向に並んで構成されていてもよい。この場合、６個の水素貯蔵ユニット５は、水素貯蔵タンク本体４の収納室に上方向から各々収納され、上方向に引き出すことにより、水素貯蔵タンク本体４から取り外すことができる。
【符号の説明】
【００７９】
１  燃料電池システム
２  水素貯蔵タンク
４  水素貯蔵タンク本体
５  水素貯蔵ユニット
８ａ、８ｂ、８ｃ  ハンドル
９  カプラ（接続口）
１０  水素容器本体
１１  操作レバー
２０  第１の凹部（凹部）
２２  第２の凹部
２３  水素ボンベ
【図１】
0006597124.tif 000002
【図２】
0006597124.tif 000003
【図３】
0006597124.tif 000004
【図４】
0006597124.tif 000005
【図５】
0006597124.tif 000006